(57)【要約】【課題】入力回線の切り替えに伴う調整パラメータの変更を、特別な装置を設けることなく、簡単な操作で素早く行うことが可能な音声入力切替装置、その制御方法及び制御用プログラムを提供する。【解決手段】音声処理部１００に、複数の入力回線、入力回線からの音声をパラメータに基づいて調整する調整部１２、入力回線を切替える入力切替部１１を備える。操作用の端末３００に、入力回線番号にパラメータを関連付けた入力回線切替テーブルを記憶するテーブル記憶部３２、入力回線番号を入力する操作部３１を備える。音声処理部１００に入力回線の切り替えを指示する音声制御部２００に、調整用のパラメータを設定する設定部２２ｂ、入力切替部１１による切り替え動作に連動させて、入力回線切替テーブルのうち、操作部３１から入力された入力回線番号に対応するパラメータに、設定部２２ｂに設定されたパラメータを変更する変更部２２ｃを備える。【選択図】図１
2007124263.tif 000002
【特許請求の範囲】
【請求項１】
複数の音声の入力回線と、前記入力回線からの音声を調整用のパラメータに基づいて調整する調整部と、前記入力回線を切り替える切替部とを備えた音声入力切替装置において、
パラメータを、入力回線ごとの識別情報に関連付けて記憶するパラメータ記憶部と、
前記調整部による音声調整用のパラメータを設定する設定部と、
切り替える入力回線の識別情報を入力する入力部と、
前記切替部による切り替え動作に連動させて、前記設定部に設定されたパラメータを、前記パラメータ記憶部に記憶されたパラメータのうち前記入力部から入力された識別情報に対応するパラメータに変更する変更部と、
変更されたパラメータを前記調整部に通知する通知部と、
を有することを特徴とする音声入力切替装置。
【請求項２】
複数の音声の入力回線と、前記入力回線からの音声を調整用のパラメータに基づいて調整する調整部と、前記入力回線を切り替える切替部とを備えた音声入力切替装置において、
パラメータを、入力回線ごとの識別情報に関連付けて記憶するパラメータ記憶部と、
前記識別情報を設定する設定部と、
切り替える入力回線の識別情報を入力する入力部と、
前記切替部による切り替え動作に連動させて、前記調整部に対して、前記パラメータ記憶部に記憶されたパラメータのうち前記入力部から入力された識別情報に対応するパラメータを通知する通知部と、
を有することを特徴とする音声入力切替装置。
【請求項３】
前記パラメータは複数のグループＩＤごとに設定され、
前記入力回線ごとに、対応するパラメータを決定するための前記グループＩＤが設定されていることを特徴とする請求項１又は請求項２記載の音声入力切替装置。
【請求項４】
前記入力部の操作条件を設定する条件設定部と、
前記条件設定部に設定された操作条件に基づいて、入力回線の切り替え動作に連動させたパラメータの変更を行うか否かを判定する判定部と、
を有することを特徴とする請求項１〜３のいずれか１項に記載の音声入力切替装置。
【請求項５】
複数の音声の入力回線と、前記入力回線からの音声を調整用のパラメータに基づいて調整する調整部と、前記入力回線を切り替える切替部とを備えた音声入力切替装置の制御方法において、
パラメータ記憶部が、パラメータを、入力回線ごとの識別情報に関連付けて記憶し、
設定部が、前記調整部による音声調整用のパラメータを設定し、
入力部が、切り替える入力回線の識別情報を入力し、
変更部が、前記切替部による切り替え動作に連動させて、前記設定部に設定されたパラメータを、前記パラメータ記憶部に記憶されたパラメータのうち前記入力部から入力された識別情報に対応するパラメータに変更し、
通知部が、変更されたパラメータを前記調整部に通知することを特徴とする音声入力切替装置の制御方法。
【請求項６】
複数の音声の入力回線と、前記入力回線からの音声を調整用のパラメータに基づいて調整する調整部と、前記入力回線を切り替える切替部とを備えた音声入力切替装置の制御方法において、
パラメータ記憶部が、パラメータを、入力回線ごとの識別情報に関連付けて記憶し、
設定部が、前記識別情報を設定し、
入力部が、切り替える入力回線の識別情報を入力し、
通知部が、前記切替部による切り替え動作に連動させて、前記調整部に対して、前記パラメータ記憶部に記憶されたパラメータのうち前記入力部から入力された識別情報に対応するパラメータを通知することを特徴とする音声入力切替装置の制御方法。
【請求項７】
前記パラメータは複数のグループＩＤごとに設定され、
前記入力回線ごとに、対応するパラメータを決定するための前記グループＩＤが設定されていることを特徴とする請求項５又は請求項６記載の音声入力切替装置の制御方法。
【請求項８】
条件設定部が、前記入力部の操作条件を設定し、
判定部が、前記条件設定部に設定された操作条件に基づいて、入力回線の切り替え動作に連動させたパラメータの変更を行うか否かを判定することを特徴とする請求項５〜７のいずれか１項に記載の音声入力切替装置の制御方法。
【請求項９】
コンピュータに、これに接続された音声の入力回線からの音声を、調整用のパラメータに基づいて調整させる調整処理と、複数の入力回線を切り替えさせる切替処理とを行わせる音声入力切替装置の制御用プログラムにおいて、
前記コンピュータに、
パラメータを、入力回線ごとの識別情報に関連付けて記憶させる記憶処理と、
前記調整処理に用いるパラメータを設定させる設定処理と、
切り替える入力回線の識別情報を入力させる入力処理と、
前記切替処理に連動させて、前記設定処理で設定されたパラメータを、前記記憶処理で記憶されたパラメータのうち前記入力処理で入力された識別情報に対応するパラメータに変更させる変更処理と、
変更されたパラメータを前記調整部に通知させる通知処理と、
を行わせることを特徴とする音声入力切替装置の制御用プログラム。
【請求項１０】
コンピュータに、これに接続された音声の入力回線からの音声を、調整用のパラメータに基づいて調整させる調整処理と、複数の入力回線を切り替えさせる切替処理とを行わせる音声入力切替装置の制御用プログラムにおいて、
前記コンピュータに、
パラメータを、入力回線ごとの識別情報に関連付けて記憶させる記憶処理と、
前記識別情報を設定させる設定処理と、
切り替える入力回線の識別情報を入力させる入力処理と、
前記切替処理に連動させて、前記調整部に対して、前記記憶処理で記憶されたパラメータのうち前記入力部から入力された識別情報に対応するパラメータを通知する通知処理と、
を行わせることを特徴とする音声入力切替装置の制御用プログラム。
【請求項１１】
前記パラメータは複数のグループＩＤごとに設定され、
前記入力回線ごとに、対応するパラメータを決定するための前記グループＩＤが設定されていることを特徴とする請求項９又は請求項１０記載の音声入力切替装置の制御用プログラム。
【請求項１２】
前記コンピュータに、
前記入力処理の操作条件を設定させる条件設定処理と、
前記条件設定処理で設定された操作条件に基づいて、入力回線の切り替えに連動させたパラメータの変更処理をさせるか否かを判定させる判定処理と、
を行わせることを特徴とする請求項９〜１１のいずれか１項に記載の音声入力切替装置の制御用プログラム。
【発明の詳細な説明】
【技術分野】
【０００１】
本発明は、例えば、放送用等に使用される音量音質調整装置において、入力された音声信号を適宜切り替える音声入力切替装置、その制御方法及び制御用プログラムに関する。
【背景技術】
【０００２】
放送用の番組制作を行う場合には、一般に、音量音質調整装置（オーディオミキサー）と呼ばれる音声調整卓（装置）が用いられる。この音声調整卓は、入力された各信号源に対応する入力回線に対して、遅延時間、音質、音声レベルなどを、それぞれについて設定された調整パラメータに基づいて調整しつつ、フェーダ、スイッチ、エンコーダ等の操作部を操作することにより、各種の調整を行うことができる（例えば、特許文献１参照）。また、入力回線は、多数の信号源の中から選択的に切り替えることができる。
【０００３】
【特許文献１】特開２００３−１６７５８０号公報
【発明の開示】
【発明が解決しようとする課題】
【０００４】
ところで、従来の音声調整卓における入力切替（ＩＮＰＵＴ  ＭＴＸ）操作においては、入力回線を変更する場合には、変更後の回線に対して、音質・音声レベル調整等を改めて行う必要があった。例えば、図９に示すように、パーソナルコンピュータ等の操作用の端末３００から、所望の入力回線番号を送信すると、音声制御部２００における入力切替制御部２１が、音声処理部１００の入力切替部１１に切り替えを指示するので、信号源が切り替わる。一方、各種調整部１２による調整用のパラメータは、エンコーダ（ＥＮＣ）、スイッチ（ＳＷ）、フェーダー（ＦＡＤＥＲ）等の操作部によって操作されるパラメータ制御部２２に設定されており、これらは必要に応じて別途設定しなおす必要がある。
【０００５】
このような音声調整卓の調整用のパラメータのうち、例えば、以下の（１）、（２）は、回線への関連性が高いため、入力切替操作を行う度に、毎回パラメータの変更操作を行う手間がかかっていた。
（１）遅延（ＤＥＬＡＹ）をはじめとしてた時間情報
（２）ダイナミクス（ＤＹＮＡＭＩＣＳ）をはじめとした音声レベル情報
【０００６】
これに対処するため、コンピュータの操作手法であるコピー＆ペーストによるパラメータの編集機能を組み込むことが考えられるが、生放送における緊急の入力切替操作では、使用が困難である。特に、映像との遅延量を調整する遅延パラメータは放送中に操作できる性質のものではないため、場合によっては、音声調整卓の遅延機能を使用せず、音声設備として遅延装置を外部ユニットで準備することもあった。この場合、スタジオとしてはコストアップに繋がり、結局のところ、音声調整卓の標準機能でありながら、遅延機能を十分に使えていなかった。
【０００７】
本発明は、上記のような従来技術の問題点を解決するために提案されたものであり、その目的は、入力回線の切り替えに伴う調整パラメータの変更を、特別な装置を設けることなく、簡単な操作で素早く行うことができる音声入力切替装置、その制御方法及び制御用プログラムを提供することにある。
【課題を解決するための手段】
【０００８】
上記の目的を達成するため、請求項１の発明は、複数の音声の入力回線と、前記入力回線からの音声を調整用のパラメータに基づいて調整する調整部と、前記入力回線を切り替える切替部とを備えた音声入力切替装置において、パラメータを、入力回線ごとの識別情報に関連付けて記憶するパラメータ記憶部と、前記調整部による音声調整用のパラメータを設定する設定部と、切り替える入力回線の識別情報を入力する入力部と、前記切替部による切り替え動作に連動させて、前記設定部に設定されたパラメータを、前記パラメータ記憶部に記憶されたパラメータのうち前記入力部から入力された識別情報に対応するパラメータに変更する変更部と、変更されたパラメータを前記調整部に通知する通知部と、を有することを特徴とする。なお、かかる発明は、上記の各機能（処理）が実現されるように、音声入力切替装置を制御する方法（請求項５）及び制御用プログラム（請求項９）として捉えることもできる。
【０００９】
以上のような発明では、入力部を用いて、入力回線の識別情報を入力することにより、入力回線の切り替えとパラメータの変更が自動的に行われるので、操作者の操作負担が大幅に低減されるとともに、特別な装置が不要となるために、コスト削減に繋がる。
【００１０】
請求項２の発明は、複数の音声の入力回線と、前記入力回線からの音声を調整用のパラメータに基づいて調整する調整部と、前記入力回線を切り替える切替部とを備えた音声入力切替装置において、パラメータを、入力回線ごとの識別情報に関連付けて記憶するパラメータ記憶部と、前記識別情報を設定する設定部と、切り替える入力回線の識別情報を入力する入力部と、前記切替部による切り替え動作に連動させて、前記調整部に対して、前記パラメータ記憶部に記憶されたパラメータのうち前記入力部から入力された識別情報に対応するパラメータを通知する通知部と、を有することを特徴とする。なお、かかる発明は、上記の各機能（処理）が実現されるように、音声入力切替装置を制御する方法（請求項６）及び制御用プログラム（請求項１０）として捉えることもできる。
【００１１】
以上のような発明では、設定部においては、識別情報のみを管理すればよいので、メモリ消費を抑えることができる。
【００１２】
請求項３の発明は、請求項１又は請求項２の音声入力切替装置において、前記パラメータは複数のグループＩＤごとに設定され、前記入力回線ごとに、対応するパラメータを決定するための前記グループＩＤが設定されていることを特徴とする。なお、かかる発明は、音声入力切替装置を制御する方法（請求項７）及び制御用プログラム（請求項１１）として捉えることもできる。
【００１３】
以上のような発明では、数種のパラメータのパターンにそれぞれグループＩＤを設定し、入力回線には対応するパラメータに応じたグループＩＤを設定することにより、全ての入力回線について個別にパラメータを設定する場合に比べて、パラメータ記憶部若しくは設定部のメモリ消費を抑えることができる。
【００１４】
請求項４の発明は、請求項１〜３のいずれか１項の音声入力切替装置において、前記入力部の操作条件を設定する条件設定部と、前記条件設定部に設定された操作条件に基づいて、入力回線の切り替え動作に連動させたパラメータの変更を行うか否かを判定する判定部と、を有することを特徴とする。なお、かかる発明は、上記の各機能（処理）が実現されるように、音声入力切替装置を制御する方法（請求項８）及び制御用プログラム(請求項１２）として捉えることもできる。
【００１５】
以上のような発明では、あらかじめ設定された操作条件に従った操作を行うか否かによって、パラメータの変更を行うか否かを選択できるので、特に、生放送における緊急の切替操作に有効となる。
【発明の効果】
【００１６】
以上の通り、本発明によれば、入力回線の切り替えに伴う調整パラメータの変更を、特別な装置を設けることなく、簡単な操作で素早く行うことが可能な音声入力切替装置、その制御方法及び制御用プログラムを提供できる。
【発明を実施するための最良の形態】
【００１７】
以下、本発明を実施するための最良の形態（実施形態）について、図面を参照して説明する。
［第１の実施形態］
［構成］
まず、本実施形態の構成を、図１を参照して説明する。すなわち、本実施形態は、音声調整卓に各チャネルごとに構成された音声処理部１００及び音声制御部２００と、これを操作するための端末３００を備えている。
【００１８】
［音声処理部］
音声処理部１００は、音声制御部２００からの指令を受けて、実際に入力回線の切り替え、音声レベル、音質等の調整を行う手段である。この音声処理部１００は、複数の信号源に対応する入力回線が接続されるとともに、入力回線を切り替える入力切替部（ＩＮＰＵＴ  ＭＴＸ）１１（請求項の切替部）、入力音声に対する各種調整を行う調整部１２（請求項の調整部）を備えている。チャネル数、信号源は、図１では３つであるが、実際にはこれよりも遥かに多い数とするのが一般的である。なお、図１においては、音声処理部１００の信号入力及び調整機能部分のみを示し、他は省略する。
【００１９】
［音声制御部］
音声制御部２００は、端末３００からの指令を受けて、音声処理部１００に対して入力切替及びパラメータ変更指令を出す手段である。この音声制御部２００は、音声処理部１００の入力切替部１１を制御する入力切替制御部２１と、調整部１２を制御するパラメータ制御部２２と、端末３００からの受信信号を解析する受信データ解析部２３を備えている。なお、音声制御部２００は、エンコーダ（ＥＮＣ）、スイッチ（ＳＷ）、フェーダー（ＦＡＤＥＲ）を有し、手動で各種パラメータを調整することもできる。
【００２０】
入力切替制御部２１は、端末３００から送信されてきた入力回線番号を、入力切替部１１に通知することにより、切り替えを指示する。パラメータ制御部２２は、調整部１２にパラメータを通知する通知部２２ａ（請求項に記載の通知部）、調整部１２に通知するパラメータに関する情報を設定する設定部２２ｂ（請求項に記載の設定部）、設定部２２ｂの設定を変更する変更部２２ｃ（請求項に記載の変更部）を有している。なお、本実施形態においては、設定部２２ｂは、内部ワークエリアに、後述する入力回線番号とこれに対応するパラメータを設定したものとする。
【００２１】
受信データ解析部２３は、端末３００からの受信データをバッファリングし、これに含まれる入力回線番号とパラメータを解析してパラメータ制御部２２、入力切替制御部２１にそれぞれ通知する手段である。
【００２２】
［端末］
端末３００は、入力回線情報の設定・管理及び入力回線切替指令を出す手段である。この端末３００は、各種の入力を行うための操作部３１（請求項に記載の入力部）、入力切替テーブルを記憶するテーブル記憶部３２（請求項に記載のパラメータ記憶部）、操作用の各種ＧＵＩを表示する表示部３３、音声制御部２００とのデータの送受信を行う送受信部３５、各部を制御する制御部３４を備えている。操作部３１は、キーボード、マウス等の入力装置である。
【００２３】
テーブル記憶部３２に記憶される入力切替テーブルは、例えば、図２に示すように、回線番号、回線名等の回線を識別するための識別情報に、各種調整機能（ＤＥＬＡＹ、ＥＱ、ＤＹＮＡ、Ｐ４８）に対応するパラメータ情報が付加されている。また、この入力切替テーブルは、例えば、図５に示すように、図２の回線を識別するための識別情報としてグループＩＤが設定されたグループＩＤパラメータテーブルＴＢ０２と、回線番号及び回線名に対応して、パラメータ自体ではなく、グループＩＤが設定されたテーブルＴＢ０１とすることもできる。これらのテーブルに含まれるパラメータ情報は、表示部３３に表示されるＧＵＩ表示される表に対して、操作部３１を操作することにより入力することができる。回線番号は、入力回線切替の切替素材である入力回線に対して付加されたユニークな番号（回線を一意に決定できる固有値）である。なお、ＥＱはイコライザ機能、Ｐ４８はコンデンサマイクの供給電源のＯＮ・ＯＦＦ機能である。
【００２４】
入力回線切替時に表示部３３に表示されるＧＵＩとしては、例えば、図３に示すように、メインウィンドウＷ０１に表示された複数の入力切替該当箇所のうち、所望の回線に対応するボタン（例えば、ＣＭ）をクリックすると、サブウィンドウＷ０２が開き、これに表示された切り替わるべき対象を示すボタンをクリックすることにより、選択操作ができるものとする。なお、表示部３３にタッチパネルの機能を持たせて、ウィンドウの所望の箇所（ボタン等）に触れることにより、選択操作できるようにしてもよい。この場合、表示部３３も、請求項に記載の入力部として機能する。
【００２５】
［作用］
以上のような本実施形態による入力回線の切替手順を、図４のフローチャートに従って説明する。まず、操作者は、あらかじめ端末のＧＵＩ上で入力回線に対して各種パラメータ情報を設定しておく。入力回線切替の開始を指示すると、図３に示すように、メインウィンドウＷ０１が開く（ステップ４０１）。そして、表示されたボタンをクリックすることにより入力回線切替チャネルを選択する（ステップ４０２）。すると、切替素材がボタン表示されたサブウィンドウＷ０２が開く（ステップ４０３）。
【００２６】
操作者は、これらのボタンの中から、切替対象となる素材をクリックすることによって選択する(ステップ４０４）。制御部３４は、入力切替テーブルを参照し、選択された入力回線番号とこれに対応するパラメータをコマンド出力するので、送受信部３５は、対応するチャネルの音声制御部２００に対して、入力回線番号通知及びパラメータ通知を行う（ステップ４０６）。なお、図５に示すようなテーブルＴＢ０１、グループＩＤパラメータテーブルＴＢ０２を用いた場合には、まず、テーブルＴ０１が参照され、選択された入力回線番号に対応するグループＩＤに基づいて、グループＩＤパラメータテーブルＴ０２から対応するパラメータが選択され、この入力回線番号とパラメータがコマンド出力される。
【００２７】
音声制御部２００においては、受信データ解析部２３が通知された情報を解析し、入力切替制御部２１に入力回線番号を通知し、パラメータ制御部２２にパラメータを通知する（ステップ４０７）。パラメータ制御部２２は、変更部２２ｃが設定部２２ｂの設定内容（内部ワークエリアの設定情報）を、通知されたパラメータへ変更（更新）する（ステップ４０８）。なお、音声制御部２００では、操作子等でパラメータ変更ができるため、それぞれの操作子におけるＳＷ、ＥＮＣ、ＬＥＤ等の表示デバイスにおいても、同期処理を行う。
【００２８】
そして、入力切替制御部２１は、対応するチャネルの音声処理部１００に、入力回線番号通知を行い、パラメータ制御部２２の通知部２２ａは、対応するチャネルの音声処理部１００に変更後のパラメータ通知を行う（ステップ４０９）。音声処理部１００においては、入力切替部１１が、通知された入力回線番号への切替を行うとともに、調整部１２が、通知された新たなパラメータによる調整を行う（ステップ４１０）。
【００２９】
［効果］
以上のような本実施形態によれば、入力回線を切り替える際に、あらかじめ設定されたパラメータを通知することで、パラメータ変更が自動的になされるので、番組制作時等における操作者の音質調整操作負担が大幅に減少する。特に、生放送中に緊急で入力回線切替操作を行う場合、最小限の調整で回線を立ち上げ、本線出力することが可能となる。また、無駄な周辺機器(例えば、外付けＤＥＬＡＹレベル調整用バッファアンプ等）を減らすことができるので、システム(スタジオ設備）としてのトータルコスト削減に繋がる。
【００３０】
また、図５に示すような、グループＩＤによって関連付けられたテーブルＴＢ０１、グループＩＤパラメータテーブルＴＢ０２を用いた場合には、切り替え対象となる入力回線のパラメータは、あらかじめ用意されたパラメータのパターンからなるグループＩＤパラメータテーブルＴＢ０２の中から選択される。従って、特定のパラメータのパターンを複数の入力回線で共有させることでき、全ての入力回線について個別にパラメータ情報を持たせる場合に比べて、テーブル記憶部３２のメモリ消費を抑えることができる。また、テーブルＴＢ０１における入力回線のグループＩＤを変更するだけで、各入力回線に対応させるパラメータの変更が可能となる。
【００３１】
［第２の実施形態］
［構成］
次に、本発明の第２の実施形態を説明する。本実施形態は、基本的には、上記の第１の実施形態と同様の構成である。但し、本実施形態においては、端末３００のテーブル記憶部３２には、図５に示したグループＩＤパラメータテーブルＴＢ０２が記憶されている。そして、音声制御部２００におけるパラメータ制御部２２の設定部２２ｂには、図５に示したテーブルＴＢ０１が設定されている。
【００３２】
［作用］
以上のような本実施形態による入力回線の切替手順を、図６のフローチャートに従って説明する。なお、ステップ６０１〜６０４の手順は、図４のステップ４０１〜４０４と同様である。すなわち、ステップ６０５では、制御部３４が、選択された入力回線番号をコマンド出力するので、送受信部３５は、対応するチャネルの音声制御部２００に対して、入力回線番号通知を行う（ステップ６０５）。
【００３３】
音声制御部２００においては、パラメータ制御部２２が、設定部２２ｂに設定されたテーブルＴＢ０１の内容に基づいて、通知された入力回線番号に対応するグループＩＤを参照し(ステップ６０６）、これに対応するパラメータを、端末３００のテーブル記憶部３２に記憶されたグループＩＤパラメータテーブルＴＢ０２から取得する（ステップ６０７）。
【００３４】
そして、入力切替制御部２１は、対応するチャネルの音声処理部１００に、入力回線番号通知を行い、パラメータ制御部２２の通知部２２ａは、対応するチャネルの音声処理部１００に対して、取得したパラメータ通知を行う（ステップ６０８）。音声処理部１００においては、入力切替部１１が、通知された入力回線番号への切替を行うとともに、調整部１２が、通知された新たなパラメータによる調整を行う（ステップ６０９）。
【００３５】
［効果］
以上のような本実施形態によれば、上記の第１の実施形態と同様の効果が得られるとともに、音声制御部２００や端末３００において、それぞれが入力回線ごとに個別にパラメータ情報を持つ場合に比べて、さらにメモリ消費を抑えることができる。
【００３６】
［第３の実施形態］
［構成］
本発明の第３の実施形態を説明する。本実施形態は、基本的には、上記の第１の実施形態と同様の構成である。但し、本実施形態においては、図７に示すように、端末３００に、操作部３１による操作時間（例えば、ダブルクリックの間隔Ｔｘ）を計測する時間検出部３６と、あらかじめしきい値となる時間Ｔｙを設定する基準値記憶部３７（請求項の条件設定部）と、ＴｘがＴｙ以下か否かを判定する判定部３８（請求項の判定部）が設定されている。
【００３７】
［作用］
以上のような本実施形態による入力回線の切替手順を、図８のフローチャートに従って説明する。まず、入力回線切替の開始を指示すると、メインウィンドウＷ０１が開く（ステップ８０１）。そして、表示されたボタンをクリックすることにより入力切替チャネルを選択する（ステップ８０２）。すると、切替素材がボタン表示されたサブウィンドウＷ０２が開く（ステップ８０３）。
【００３８】
操作者は、これらのボタンの中から、切替対象となる素材をダブルクリックすることによって選択すると(ステップ８０４）、切替対象が確定する（ステップ８０６）。このダブルクリックの間隔Ｔｘが、時間検出部３６によってサンプリングされる（ステップ８０５）。そして、判定部３８は、このダブルクリックの間隔Ｔｘが、あらかじめ基準値記憶部３７に記憶されたしきい値の時間Ｔｙ以下か否かを判定する(ステップ８０７）。
【００３９】
Ｔｘ≦Ｔｙの場合には、端末３００の制御部３４は、入力切替制御部２１に対して、パラメータ連動を通知する(ステップ８０８）。そして、制御部３４は、入力切替テーブルを参照し（ステップ８０９）、選択された入力回線番号とこれに対応するパラメータをコマンド出力するので、送受信部３５は、対応するチャネルの音声制御部２００に対して、入力回線番号通知及びパラメータ通知を行う（ステップ８１０）。
【００４０】
音声制御部２００においては、受信データ解析部２３が通知された情報を解析し、入力切替制御部２１に入力回線番号を通知し、パラメータ制御部２２にパラメータを通知する（ステップ８１１）。パラメータ制御部２２は、変更部２２ｃが設定部２２ｂの設定内容（内部ワークエリアの設定情報）を通知されたパラメータへ変更（更新）する（ステップ８１２）。
【００４１】
そして、入力切替制御部２１は、対応するチャネルの音声処理部１００に、入力回線番号通知を行い、パラメータ制御部２２の通知部２２ａは、対応するチャネルの音声処理部１００に変更後のパラメータ通知を行う（ステップ８１３）。音声処理部１００においては、入力切替部１１が、通知された入力回線番号への切替を行うとともに、調整部１２が、通知された新たなパラメータによる調整を行う（ステップ８１４）。
【００４２】
一方、Ｔｘ＞Ｔｙの場合、端末３００の制御部３４は、入力切替制御部２１に対して、パラメータ非連動を通知する(ステップ８１５）。そして、制御部３４は、入力切替テーブルを参照し（ステップ８１６）、選択された入力回線番号をコマンド出力するので、送受信部３５は、対応するチャネルの音声制御部２００に対して、入力回線番号通知を行う（ステップ８１７）。音声制御部２００においては、受信データ解析部２３が通知された情報を解析し、入力切替制御部２１に入力回線番号を通知する（ステップ８１８）。そして、入力切替制御部２１は、対応するチャネルの音声処理部１００に、入力回線番号通知を行う（ステップ８１９）。音声処理部１００においては、入力切替部１１が、通知された入力回線番号への切替を行う（ステップ８１４）。
【００４３】
［効果］
以上のような本実施形態によれば、操作部３１の操作に応じて、パラメータを変更するか否かを選択することができるので、状況に応じて、適切な対応が可能となる。特に、クリック時間等の操作時間を基準とすることにより、新たな操作部材や操作対象を付加することなく、素早い操作が可能となる。
【００４４】
［他の実施形態］
本発明は、上記のような実施形態に限定されるものではない。例えば、音声信号の調整機能は、レベル調整、イコライザー、フィルタ等、一般的に電気信号に変換された音声信号（デジタル、アナログの別を問わない）に対して行いうるあらゆる調整機能を設定可能である。そして、各調整機能に対応して回線に関連付けるパラメータとしては、ＤＥＬＡＹ  ＴＩＭＥ等の時間情報、ＥＱ／ＨＰＦ／ＬＰＦ等の音質情報、ＤＹＮＡＭＩＣＳ／ＴＲＩＭ／ＧＡＩＮ等の音声レベル情報、その他、ＩＮＰＵＴ、ＢＵＳ  ＡＳＳＩＧＮなどが考えられるが、これらに限定されない。
【００４５】
パラメータ連動、非連動を決定するための操作条件としては、上記の実施形態で例示したものには限定されない。クリックの場合、メインウインドウでクリックしてから、サブウインドウでクリックするまでの時間でもよいし、クリックの回数を基準としてもよい。タッチパネルにタッチする間隔やタッチの回数を基準としてもよい。各部の入力手段としては、スイッチ、エンコーダ、タッチパネル、キーボード、マウス等、現在又は将来において利用可能なあらゆる入力装置が適用可能である。
【００４６】
表示画面のＧＵＩのレイアウトに関しても、機能に対応するボタンの大きさや数を含めて、自由に設定可能である。かかるレイアウトを、ユーザが自由に設定できるようにしてもよい。回線番号やグループＩＤ等の識別情報、各種パラメータを含めて、数字、記号、図形等、情報の表現形式として何を用いるかは自由であり、その表示態様も特定のものには限定されない。
【００４７】
なお、本発明は、コンピュータをプログラムで制御することで実現できるが、この場合のハードウェアやプログラムの実現態様は各種変更可能である。例えば、ハードウェアの構成態様は、各機能を実現するいわゆるチップとその周辺回路によって実現したり、複数の機能を集約したシステムＬＳＩによって実現する等、種々考えられるものであり、特定の回路に限定されない。したがって、上記の説明では、各機能を実現する仮想的回路ブロックを用いている。また、かかるプログラム及びプログラムを記録した記録媒体は単独でも本発明の一態様である。例えば、パーソナルコンピュータにアプリケーションプログラムをインストールすることにより、端末、音声制御部、音声処理部の機能の全部若しくは一部を実現することもできる。
【図面の簡単な説明】
【００４８】
【図１】本発明の実施形態の構成を示す機能ブロック図である。
【図２】本発明の第１の実施形態における入力切替テーブルの一例を示す図である。
【図３】本発明の第１の実施形態における表示画面例を示す図である。
【図４】本発明の第１の実施形態の入力回線切替手順を示すフローチャートである。
【図５】本発明の第１及び第２の実施形態におけるグループＩＤパラメータテーブルの一例を示す図である。
【図６】本発明の第２の実施形態の入力回線切替手順を示すフローチャートである。
【図７】本発明の第３の実施形態における端末の構成を示すブロック図である。
【図８】本発明の第３の実施形態における入力回線切替手順を示すフローチャートである。
【図９】従来の入力回線切替装置の一例を示すブロック図である。
【符号の説明】
【００４９】
１１…入力切替部
１２…調整部
２１…入力切替制御部
２２…パラメータ制御部
２２ａ…通知部
２２ｂ…設定部
２２ｃ…変更部
２３…受信データ解析部
３１…操作部
３２…テーブル記憶部
３３…表示部
３４…制御部
３５…送受信部
３６…時間検出部
３７…基準値記憶部
３８…判定部
１００…音声処理部
２００…音声制御部
３００…端末
【図１】
2007124263.tif 000003
【図２】
2007124263.tif 000004
【図３】
2007124263.tif 000005
【図４】
2007124263.tif 000006
【図５】
2007124263.tif 000007
【図６】
2007124263.tif 000008
【図７】
2007124263.tif 000009
【図８】
2007124263.tif 000010
【図９】
2007124263.tif 000011